(57)【特許請求の範囲】
【請求項１】
階段（Ｋ）に沿って傾斜固定される上開きＣ字型ガイドレール（１）と、そのガイドレール（１）に納められガイドローラー（９）、（９）に支持された基台板（５）と、その基台板（５）に装着されるモータ駆動機構（３）付きの昇降椅子（２）とから成る電動式の階段用椅子昇降機において、前記ガイドレール（１）の上下昇降端部（１ａ）、（1ｂ）にそのガイドレール（１）の上開口（１０）を含む上面を隠すように覆う軟質のカバーベルト（４）をその両端部（４ａ）、（４ｂ）において固定するとともに、前記基台板（５）に前記ガイドレール（１）の搭載部位上方において、前記駆動部３を避けて前記ガイドレール（１）の上面に近接する傾斜上側部位と傾斜下側部位に前記カバーベルト（４）の上面を押さえて前記カバーベルト（４）によりフリー回転させられる両ガイドローラー（６）、（７）を設けるとともに、引き上げられた前記両ガイドローラー（６）、（７）間のカバーベルト（４）下に潜らせて前記駆動機構（３）から離して該駆動機構（３）を跨ぐように掛架張設した前記カバーベルト（４）によりフリー回転させられるガイドローラー（８）を設けて成る階段用椅子昇降機におけるレールカバー装置。
【発明の詳細な説明】
【０００１】
【発明が属する技術分野】
本発明は、電動式の階段用椅子昇降機における上開きＣ字型ガイドレールの上開口を覆い隠すためのレールカバー装置に関する。
【０００２】
【従来の技術】
これまでの上開きＣ字型ガイドレール上を昇降させる階段用椅子昇降機では、そのガイドレールの上開口がそのまま開いているので、階段の昇り降りをするときに掴まろうとする手の指がガイドレールの油汚れの内部に触って汚れたり、昇降椅子の装置に噛まれて怪我をしたりする不安があった。
また、Ｃ字型ガイドレールの内部に埃がたまると、その埃が機械の油と一緒に強く付着して、この汚れを落とすことや、溜まった埃の清掃をすることが大変に困難であった。
また、その上開口から見える内部は暗く、室内での美観が損なわれる難点があった。
【０００３】
そこで、この上開口を閉鎖してしまうことも考えられるが、実際には昇降椅子を昇降駆動するための電源コードや、昇降椅子を昇降させるための駆動ローラーや安定支持するためのガイドローラーなどをＣ字型ガイドレールの上からその内部へ接続できる構造にしなければならないために、その上開口を閉鎖してしまうことはできない。
【０００４】
【発明が解決しようとする課題】
本発明は、上記実情に鑑みてなされたもので、Ｃ字型ガイドレールの上開口を昇降椅子の昇降駆動の機能を損なうことなく覆い隠すことができる電動式の階段用椅子昇降機におけるレールカバー装置を提供するものである。
【０００５】
【課題を解決するための手段】
上記課題を解決するために、本発明は、階段Ｋに沿って傾斜固定される上開きＣ字型ガイドレール１と、そのガイドレール１に納められガイドローラー９、９に支持された基台板５と、その基台板５に装着されるモータ駆動機構３付きの昇降椅子２とから成る電動式の階段用椅子昇降機において、
【０００６】
前記ガイドレール１の上下昇降端部１ａ、1ｂにそのガイドレール１の上開口１０を含む上面を隠すように覆う軟質のカバーベルト４をその両端部４ａ、４ｂにおいて固定するとともに、前記基台板５に前記ガイドレール１の搭載部位上方において、前記駆動部３を避けて前記ガイドレール１の上面に近接する傾斜上側部位と傾斜下側部位に前記カバーベルト４の上面を押さえて前記カバーベルト４によりフリー回転させられる両ガイドローラー６、７を設けるとともに、引き上げられた前記両ガイドローラー６、７間のカバーベルト４下に潜らせて前記駆動機構３から離して該駆動機構３を跨ぐように掛架張設した前記カバーベルト４によりフリー回転させられるガイドローラー８を設けて成る階段用椅子昇降機におけるレールカバー装置である。
【０００７】
【発明の実施の形態】
本発明の実施の形態を、図の実施例に基づいて以下詳しく説明する。
【０００８】
電動式の階段用椅子昇降機は、図１に示すように、室内の階段Ｋに沿って、階段上面又は壁面に傾斜固定される上開きＣ字型ガイドレール１と、そのガイドレール１に搭載されその内部のガイドローラー９、９で基台板５が支持案内されて昇降移動するモータ駆動機構３付きの昇降椅子２とから構成されている。
【０００９】
そして、その電動式の階段用椅子昇降機において、前記ガイドレール１の上下昇降端部１ａ、1ｂにそのガイドレール１の上開口１０及びその周囲のレール上面を隠すように覆う軟質のカバーベルト４をその両端部４ａ、４ｂで固定する。前記カバーベルト４は、弛まないように、例えば布製や樹脂製などの無伸縮性があり且つ柔軟性があるものが良い。
【００１０】
そして、図２に示すように、前記昇降椅子２の基台板５に前記ガイドレール１への搭載部位上方にそのガイドレール１上面に近接状態に且つ前記駆動機構３を避ける傾斜上側部位と傾斜下側部位に前記カバーベルト４によりフリー回転されるガイドローラー６、７を設け、またその上方部位に前記昇降椅子２の駆動機構３を避けるように間隔を置いてカバーベルト４によりフリー回転するガイドローラー８、８を設ける。
このガイドローラー８、８は図２では２個の場合を示しているが、前記駆動機構３を迂回できれば良いので、その構造に合わせて一個又は複数装着する。
【００１１】
そして、前記カバーベルト４の中間部４ｃを、前記ガイドローラー６、７の下を通り且つ前記ガイドローラー８、８の上を通るように掛架張設する。
このような構造にすることにより、図２に示すように、前記昇降椅子２がＣ字型ガイドレール１に沿って下（図２の（イ）に示す）から上（図２の（ロ）に示す）へ上昇すると、柔らかい前記カバーベルト４の中間部４ｃが前記ガイドローラー６、７でそのガイドレール１に近接状態に押し付けられてその前記昇降椅子２の上下方向の上開口１０を完全に覆い隠したままとなり、またその上方のガイドローラー８、８によりカバーベルト４が前記駆動機構３の上を跨ぐように迂回する。そしてカバーベルト４はガイドローラー６、７、８のフリー回転によりカバーベルト４を変形ガイドして送る。
【００１２】
また、前記上下のガイドローラー６、７間はカバーベルト４が迂回するのでガイドレール１の上開口１０が開口されるが、前記上開口１０側のガイドローラー６、７とその上方のガイドローラー８、８とが隠れるように、図３に示すように、その前面を駆動部カバー１２で覆うことができ、こうすれば、ガイドレール１の上開口１０は外部からは見えないように全て隠蔽することができる。
【００１３】
【発明の効果】
本発明は以上のようであり、上開口１０側のガイドローラー６、７及びその上方のガイドローラー８によりカバーベルト４の中間部４ｃが昇降椅子２の駆動機構３を跨いで避けるように迂回する。
そしてし、そのベルト迂回内部のＣ字型ガイドレールの上開口１０から基台板５に昇降椅子２を安定的に支持し昇降案内するガイドローラー９が差し入れ装着される。またガイドレール１内を通る電源コード１１もそのベルト迂回内部のＣ字型ガイドレールの上開口１０から昇降椅子２の昇降駆動機構３へと接続することができる。
したがって、その前記昇降椅子２を昇降駆動操作するための機能を何ら損なうことなく、その前記昇降椅子２の昇降駆動機構３から上下方向にある上開口１０を完全に覆い隠すことができるようになった。
【００１４】
本発明では、そのように上開口１０が覆い隠されるために、階段の昇り降りをするときにそのガイドレール１に掴まっても安全である。また、Ｃ字型ガイドレールの内部には埃が入らないので汚れることもない。
さらに、その上開口１０を覆うことによって、ガイドレール１による室内階段室の美観を損なうことがなくなった。
【図面の簡単な説明】
【図１】本発明の構造を示す斜視図。
【図２】昇降椅子が（イ）は低い位置、（ロ）は高い位置に移動した状態を示す各正面図。
【図３】長さ方向から見た基台板部分の縦断側面図。
【符号の説明】
１    上開きＣ字型ガイドレール
１ａ  ガイドレールの上端部
１ｂ  ガイドレールの下端部
２    昇降椅子
３    モータ駆動機構
４    カバーベルト
４ａ  カバーベルトの端部
４ｂ  カバーベルトの端部
４ｃ  カバーベルトの中間部
５    基台板
６    ガイドローラー
７    ガイドローラー
８    ガイドローラー
９    ガイドローラー
１０    ガイドレールの上開口
１１    電源コード
１２    駆動部カバー
Ｋ    階段
【図１】
0003889952.tif 000002
【図２】
0003889952.tif 000003
【図３】
0003889952.tif 000004